(57)【特許請求の範囲】
【請求項１】
クッション体を袋状に形成された布製の外装体によって被覆して形成されるマットレス装置において、
上記クッション体は、表裏両面に幅方向に沿う溝部が長手方向に所定間隔で形成されているとともに幅方向の少なくとも一側部に窪み部が形成された本体部と、この本体部の上記窪み部に設けられ上記幅方向に圧縮変形可能な補助弾性部材とからなることを特徴とするマットレス装置。
【請求項２】
上記窪み部に設けられた補助弾性部材は、上記クッション体に紐状部材によって結合されたメッシュによって上記クッション体と一体的に保持されていることを特徴とする請求項１記載のマットレス装置。
【請求項３】
クッション体を袋状に形成された布製の外装体によって被覆して形成されるマットレス装置において、
上記クッション体は、表裏両面に幅方向に沿う溝部が長手方向に所定間隔で形成された本体部と、この本体部の幅方向の少なくとも一側部に設けられ上記幅方向に圧縮変形可能な補助弾性部材と、上記クッション体に紐状部材によって結合され上記補助弾性部材を上記クッション体に一体的に保持したメッシュとからなることを特徴とするマットレス装置。
【請求項４】
ベッドフレ−ムを有し、このベッドフレ−ムには一部が起伏可能な床板が設けられるベッド装置において、
上記床板の幅方向両側部のうちの少なくとも一側部に上記ベッドフレ−ムの幅方向内方へ凹んで形成された凹部と、
上記床板の上記凹部と対応する部分に突没自在に設けられた支持手段と、
表裏両面に幅方向に沿う溝部が長手方向に所定間隔で形成されたクッション体を有し、上記床板上に載置されるとともに少なくとも上記凹部に対応する部分に圧縮変形可能な補助弾性部材が設けられてなり、上記床板上に載置されるマットレス装置と
を具備したことを特徴とするベッド装置。
【発明の詳細な説明】
【０００１】
【発明の属する技術分野】
この発明は自力で身体を動かすことが不自由な病人や老人などを長期にわたって就寝させるのに適したマットレス装置及びベッド装置に関する。
【０００２】
【従来の技術】
たとえば、病院などに老人や病人などの自力で身体を自由に動かすことができない利用者が入院した場合には病院用のベッド装置が用いられる。この種のベッド装置には種々のタイプがあるが、その１つとして起床式のベッド装置が知られている。
【０００３】
起床式のベッド装置は、周知のようにベッドフレ−ムを有し、このベッドフレ−ム上に複数の床部に分割された床板が設けられている。複数の床部のうちの１つは上記フレ−ムに固定され、利用者の上半身に対応する床部は駆動機構によって起伏駆動されるようになっている。
【０００４】
したがって、利用者は自力で上半身を起こすことができなくとも、上記駆動機構によって床部を起上させることで、上半身を起こすことができるから、食事や読書などをするときに便利である。
【０００５】
ところで、ベッド装置上に横たわった利用者は定期的に診察を受けたり、排泄のための介護をしてもらわなければならないことがある。診察や介護を受ける際、利用者が自力で身体を動かすことが不自由な場合には、診察者や介護者が利用者の身体を部分的に持ち上げたり、寝返りを打たせるなどのことを行わなければならない。
【０００６】
利用者の身体を部分的に持ち上げたり、寝返りを打たせるなどの作業を行う場合、診察者や介護者は、身体をできるだけ利用者に接近させた方がその作業がし易く、たとえば身体を利用者から離した状態でそのような作業を行うと、力が入りにくいため、作業がしにくいということがあったり、作業者の腰に大きな負担が掛るため、腰を痛めるなどのことがある。
【０００７】
そこで、利用者を介護する場合、診察者や介護者は身体を利用者にできるだけ近付けて作業した方がよい。しかしながら、ベッド装置の床板は所定の幅寸法を有するから、利用者がその床板の幅方向中央部分や幅方向一端部側に仰臥しているような場合には、診察者や介護者は上記床板の幅方向他端側から身体を利用者に十分に近付けることができない状態で作業をしなければならないことがある。そのため、その作業がしにくかったり、腰を痛めるなどのことがあった。
【０００８】
【発明が解決しようとする課題】
このように、従来のベッド装置は床板上に仰臥した利用者を診察したり、介護するなどの作業を行う場合、上記床板が所定の幅寸法を有するから、利用者が仰臥している位置によっては利用者に身体を十分に接近させて作業を行うことができないため、その作業がしにくかったり、腰に負担が掛かるなどのことがあった。
【０００９】
この発明は上記事情に基づきなされたもので、その目的とすることは、利用者の診察や介護などをする場合、身体を利用者に十分に接近させることができるようにしたマットレス装置及びベッド装置を提供することにある。
【００１０】
【課題を解決するための手段】
請求項１の発明は、クッション体を袋状に形成された布製の外装体によって被覆して形成されるマットレス装置において、
上記クッション体は、表裏両面に幅方向に沿う溝部が長手方向に所定間隔で形成されているとともに幅方向の少なくとも一側部に窪み部が形成された本体部と、この本体部の上記窪み部に設けられ上記幅方向に圧縮変形可能な補助弾性部材とからなることを特徴とする。
【００１１】
請求項２の発明は、請求項１の発明において、上記窪み部に設けられた補助弾性部材は、上記クッション体に紐状部材によって結合されたメッシュによって上記クッション体と一体的に保持されていることを特徴とする。
請求項３の発明は、クッション体を袋状に形成された布製の外装体によって被覆して形成されるマットレス装置において、
上記クッション体は、表裏両面に幅方向に沿う溝部が長手方向に所定間隔で形成された本体部と、この本体部の幅方向の少なくとも一側部に設けられ上記幅方向に圧縮変形可能な補助弾性部材と、上記クッション体に紐状部材によって結合され上記補助弾性部材を上記クッション体に一体的に保持したメッシュとからなることを特徴とする。
【００１２】
請求項４の発明は、ベッドフレ−ムを有し、このベッドフレ−ムには一部が起伏可能な床板が設けられるベッド装置において、
上記床板の幅方向両側部のうちの少なくとも一側部に上記ベッドフレ−ムの幅方向内方へ凹んで形成された凹部と、
上記床板の上記凹部と対応する部分に突没自在に設けられた支持手段と、
表裏両面に幅方向に沿う溝部が長手方向に所定間隔で形成されたクッション体を有し、上記床板上に載置されるとともに少なくとも上記凹部に対応する部分に圧縮変形可能な補助弾性部材が設けられてなり、上記床板上に載置されるマットレス装置と
を具備したことを特徴とする。
【００１３】
請求項１乃至請求項３の発明によれば、クッション体の側部に圧縮変形可能な補助弾性部材を設けるようにしたことで、介護者はこの補助弾性部材を圧縮変形させることで、身体をマットレス装置上の利用者に近づけることができ、しかもクッション体には幅方向に沿う溝部が形成されているから、起床式のベッド装置に用いることで、床板の起上に応じて容易に折り曲げることができる。
【００１４】
請求項４の発明によれば、床板に形成された凹部には支持手段が突出方向に設けられ、マットレス装置の上記凹部に対応する部分には圧縮変形可能な補助弾性部材が設けられているから、介護者は補助弾性部材を圧縮変形させながら上記支持手段を没入方向へ弾性的に押し込むことで、身体を利用者に近づけることができ、しかも通常は上記補助弾性部材が上記支持手段によって保持されているから、この補助弾性部材による利用者の支持状態が損なわれることがなく、さらに床板の一部を起伏させる場合にはマットレス装置のクッション体に溝部が形成されていることで、容易に屈曲させることができる。
【００１５】
【発明の実施の形態】
以下、この発明の実施の形態を図面を参照して説明する。
図１乃至図４はこの発明の第１の実施の形態を示し、図２と図３に示すベッド装置は下面四隅部に脚２が設けられたベ−スフレ−ム１を備えている。このベ−スフレ−ム１の四隅部には取付部３が設けられ、各取付部３には上下駆動ア−ム４の一端が回動自在に連結されている。各上下駆動ア−ム４の他端はベッドフレ−ム５に連結されている。
【００１６】
つまり、ベッドフレ−ム５の両側の長手方向両端部にはそれぞれブラケット６が垂設されている。ベッドフレ−ム５の幅方向において対応する各一対のブラケット６には横軸７が回転自在に架設されている。各横軸７には上記上下駆動ア−ム４の他端が固着されている。
【００１７】
上記一対の横軸７は図示しない上下駆動機構によって回転駆動されるようになっている。横軸７が回転駆動されれば、上記上下駆動ア−ム４が起伏駆動される。それによって、上記ア−ム４の他端に連結されたベッドフレ−ム５が上下駆動されるようになっている。
【００１８】
上記ベッドフレ−ム５は、その長手方向に沿う一対の長尺杆８と幅方向に沿う一対の短尺杆（図示せず）との端部を連結部材１１によって連結した矩形枠状をなしている。長手方向一端側に位置する一対の連結部材１１にはヘッドボ−ド枠１２が取り付けられ、他端側に位置する一対の連結部材１１にはフットボ−ド枠１３が取り付けられている。
【００１９】
上記ベッドフレ−ム５の上面には床板２１が設けられている。この床板２１はベッドフレ−ム５の長手方向に沿って分割された５つの床部２２ａ〜２２ｅからなる。この床板２１の長手方向中央部分は上記ベッドフレ−ム５に固定された固定床部２２ａとなっていて、この固定床部２２ａの一側には腰床部２２ｂと背床部２２ｃとが順次回動自在に連結されている。上記固定床部２２ａの他側には第１の脚床部２２ｄと第２の脚床部２２ｅとが順次回動自在に連結されている。
【００２０】
上記各床部２２ａ〜２２ｅは合成樹脂をブロ−成形して中空状に形成されていて、互いに回動自在に連結される端部は図３に示すように凹部２３ａと凸部２３ｂとが交互に形成された凹凸状になっている。つまり、隣り合う床部は互いの凹部２３ａと凸部２３ｂとを組み込み、その部分が図示しない中空連結軸によって回動自在に連結されている。さらに、床板２１の上面には図３に示すように長手方向に沿う凸条２３ｃが幅方向に所定間隔で形成されている。
【００２１】
上記床板２１の幅方向両側の長手方向中央部には、図３に示すように平面形状が矩形状の凹部２４（一方のみ図示）が形成されている。つまり、上記凹部２４は、固定床部２２ａをその両側の腰床部２２ｂおよび第１の脚床部２２ｄよりも短尺にするとともに、腰床部２２ｂと第１の脚床部２２ｄの上記固定床部２２ａに隣接する部分を角型に除去することで、固定床部２２ａ，腰床部２２ｂおよび第１の脚床部２２ｄにわたって形成されている。
【００２２】
なお、上記ベッドフレ−ム５の一対の長尺杆８の間隔は図３に示すように上記固定床部２２ａの長さ寸法とほぼ同じ幅寸法に設定されている。それによって、上記長尺杆８は上記凹部２４に露出することがない。
【００２３】
図５に示すように、上記ベッドフレ−ム５の下面側には背上げ駆動機構４１が設けられている。この背上げ駆動機構４１は一側面に駆動源４０が設けられたボックス４２を有し、このボックス４２の一端側と他端側とにはそれぞれ軸線をベッドフレ−ム５の幅方向に沿わせた第１の駆動軸４３と第２の駆動軸４４とが設けられている。
【００２４】
ヘッドボ−ド枠１２側に位置する第１の駆動軸４３には第１のア−ム４５の一端が固着されている。この第１のア−ム４５の他端部には一対の第１のロ−ラ４６が所定間隔で回転自在に設けられている。このロ−ラ４６は上記背床部２２ｃの下面に設けられた断面コ字状のレ−ル４７に転動自在に係合している。
【００２５】
上記第２の駆動軸４４には第２のア−ム４８の一端が連結されている。この第２のア−ム４８の他端には第２のロ−ラ４９が回転自在に設けられている。この第２のロ−ラ４９は上記第１の脚床部２２ｄの下面に当接している。
【００２６】
上記第１の駆動軸４３と第２の駆動軸４４は上記背上げ駆動機構４１によって回転駆動されるようになっている。第１の駆動軸４３が回転駆動されて第１のア−ム４５が起上方向に回動すると、腰床部２２ｂと背床部２２ｃとが起上させられる。第２の駆動軸４４が回転駆動されて第２のア−ム４８が起上方向に回動すると、第１の脚床部２２ｄが起上方向に駆動され、この第１の脚床部２２ｄに第２の脚床部２２ｅが連動する。
【００２７】
第２の脚床部２２ｅとベッドフレ−ム５との間にはリンク３８が両端部を回転自在に連結して設けられている。それによって、第２の脚床部２２ｅは第１の脚床部２２ｄに連動した状態、つまり第１の脚床部２２ｄとでほぼへの字状をなした状態で保持されるようになっている。
【００２８】
上記床板２１上にはマットレス装置５１が載置される。このマットレス装置５１は図１に示すようにクッション体５２が袋状に縫製された布製の外装体５０に収容されてなる。
【００２９】
上記クッション体５２は、発泡ウレタンフォーム、サイザル繊維あるいは圧縮成形された綿などの弾性材料によってほぼ矩形状に形成された本体部５３を有する。この本体部５３は図４（ａ）に示すように幅方向両側の長手方向中途部に凹状の窪み部５４が形成されていて、この窪み部５４には図４（ｂ）に示すように補助弾性部材５５が設けられている。
【００３０】
上記補助弾性部材５５は上記本体部５３よりも十分に軟質になるよう発泡成形されたウレタンフォームなどによって形成されていて、幅方向（マットレス装置５１の幅方向と同方向）に圧縮変形し易いようになっている。
【００３１】
上記窪み部５４に設けられた補助弾性部材５５はクッション体５２の周囲を被覆するとともにこのクッション体５２に紐状部材５６によって結合されたメッシュ５７によってクッション体５２と一体的に保持されている。
【００３２】
上記クッション体５２と補助弾性体５５との上下面には幅方向に沿う溝部５２ａ，５５ａが長手方向に所定間隔で形成されている。しかも、各溝部５２ａ，５５ａはクッション体５２と補助弾性体５５との上面と下面において長手方向における位置を上記間隔の約２分の１ずらして形成されている。
【００３３】
上記マットレス装置５１の両側に設けられた補助弾性部材５５は、このマットレス装置５１の左右方向および前後方向において対称形状に形成されている。それによって、床板２１上に載置されたマットレス装置５１を裏返したり、前後の向きを変えて使用しても、床板２１の凹部２４に対してマットレス装置５１の補助弾性部材５５の位置がずれることがないようになっている。
【００３４】
図３に示すように、上記床板２１の凹部２４には支持手段としての支持体６１が弾性的に変位自在に設けられている。つまり、この支持体６１は、図３に示すように通常は上記凹部２４に突出する状態で弾性的に保持されていて、同図に矢印で示す方向へ押圧することで、同方向にスライドして上記凹部２４を開放するようになっている。また、支持体６１に加えた加圧力を解除すれば、この支持体６１は凹部２４に突出する元の状態に弾性的に復元するようになっている。
【００３５】
上記構成のベッド装置によれば、床板２１の両側の長手方向中途部には幅方向に凹んだ凹部２４が形成され、マットレス装置５１のクッション体５２の長手方向中央部分の幅方向両側は補助弾性部材５５によって形成されている。
【００３６】
上記マットレス装置５１の補助弾性部材５５は圧縮変形可能な柔らかさであるが、その補助弾性部材５５の下面側は上記床板２１の凹部２４に突出した支持体６１によって支持されている。
【００３７】
そのため、支持体６１によって支持された補助弾性部材５５は、荷重によって変形し過ぎるようなことがないから、通常のベッド面の一部として有効に利用することができる。つまり、補助弾性部材５５を設けることで、マットレス装置５５の有効使用面積が減少するということがない。
【００３８】
しかも、本体部５３の窪み部５４に設けられた補助弾性部材５５はメッシュ５７によって本体部５３と一体的に保持されているから、窪み部５４から脱落して利用者に違和感を与えたり、接着剤で接着固定した場合のように固化した接着剤の硬さによってクッション性能が低下したり、使用にともない剥離するなどのことが防止される。
【００３９】
一方、マットレス装置５１上に仰臥した図示しない老人や病人などの利用者を診察したり、介護する場合、診察者や介護者は床板２１の凹部２４に突出した支持体６１と、マットレス装置５１の支持体６１上に載置された補助弾性部材５５とを身体の一部、たとえば太腿の部分で押圧する。それによって、上記支持体６１が弾性的に没入方向へスライドするとともに、マットレス装置５１の補助弾性部材５５が圧縮変形されるから、診察者や観察者は床板２１の凹部２４内へ入り込み、マットレス装置５１に仰臥した利用者に近付くことができる。
【００４０】
それによって、診察者や介護者は、利用者の身体を部分的に持ち上げたり、寝返りを打たせるなどの作業を、腰に負担が掛かることのない態勢で容易に行うことができる。
【００４１】
また、足腰が弱った利用者がマットレス装置５１上から降りる場合、床板２１の凹部２４の箇所から降りるようにする。それによって、利用者が立ち上がるとき、利用者の大腿部が支持体６１や補助弾性部材５５によって弾性的に保持されるから、保持されない場合に比べて立ち上がるときの安定性が得られる。
【００４２】
つまり、上記構成のベッド装置によれば、利用者を診察したり、介護する場合には床板２２の凹部２４に突出した支持体６１をばね６５の復元力に抗して弾性的に押し込むと同時に、マットレス装置５１の補助弾性部材５５を圧縮変形させる。それによって、診察者や介護者は上記凹部２４に入り込んで利用者に近付くことができるから、診察や介護を楽な姿勢で容易に行うことが可能となる。
【００４３】
ベッド装置上に仰臥した利用者が上半身を起す場合には背上げ駆動機構４１を作動させて図２に示すように背床部２２ｃ及び腰床部２２ｂを起上させることで、床板２１上に仰臥した利用者の上半身を起上する上記背床部２２ｃ及び腰床部２２ｂによって起すことができる。
【００４４】
背床部２２ｃ及び腰床部２２ｂを起上させると、上記マットレス装置５１のクッション体５２が屈曲される。このクッション体５２の本体部５３と補助弾性部材５５とには、上下面に幅方向に沿う溝部５２ａ，５５ａが長手方向に所定間隔で形成されていることで長手方向に沿って屈曲され易い状態になっている。
【００４５】
そのため、クッション体５２は背床部２２ｃ及び腰床部２２ｂが起上させることで、その起上に応じて容易に屈曲させることができる。つまり、クッション体５２が屈曲されにくいと、背床部２２ｃ及び腰床部２２ｂを起上させたときに、腰床部２２ｂや背床部２２ｃに沿って湾曲せず、これら床部から浮き上がる虞があるが、この発明のクッション体５２は溝部５２ａ，５５ａによって屈曲され易くしているため、腰床部２２ｂや背床部２２ｃから浮き上がることなく屈曲されることになる。
【００４６】
なお、保持弾性部材５５は軟らかであるから、溝部５５ａを形成しなくとも、本体部５３とともに比較的容易に湾曲させることができる。
図６と図７はそれぞれこの発明のクッション体の変形例を示す第２の実施の形態と第３の実施の形態である。
【００４７】
図６に示す第２の実施の形態のクッション体５２Ａは、本体部５３Ａが全長にわたって狭幅に形成され、その両側に全長にわたって補助弾性部材１５５が設けられている。この補助弾性部材１５５は長手方向中途部が軟質部１５５ａとなっており、その他の部分は本体部５３Ａと同じ材料で形成されている。
【００４８】
上記補助弾性部材１５５は上記本体部５３Ａの両側に接着剤で固定してもよいが、第１の実施の形態と同様メッシュ５７によって一体的に保持するようにしてもよい。
【００４９】
なお、本体部５３Ａと補助弾性部材１５５との上下面には、第１の実施の形態と同様、溝部５２ａ，５５ａが形成されている。
図７はこの発明の第３の実施の形態で、この実施の形態は第２の実施の形態とほぼ同じであるが、補助弾性部材１５５が全長にわたって本体部５３Ａに比べて軟質なクッション材料で形成されているという点で相違している。
【００５０】
【発明の効果】
請求項１乃至請求項３の発明によれば、マットレス装置を構成するクッション体の側部に圧縮変形可能な補助弾性部材を設けるようにした。そのため、介護者は上記補助弾性部材を圧縮変形させることで、身体をマットレス装置上の利用者に近づけることができる。
しかも、クッション体には幅方向に沿う溝部を長手方向に所定間隔で形成するようにした。そのため、クッション体は長手方向に沿って屈曲させ易いから、起床式のベッド装置に用いることで、床板の起上に応じて容易かつ確実に折り曲げることができる。
【００５１】
しかも、クッション体には幅方向に沿う溝部を長手方向に所定間隔で形成するようにした。そのため、クッション体は長手方向に沿って屈曲させ易いから、起床式のベッド装置に用いることで、床板の起上に応じて容易かつ確実に折り曲げることができる。
【００５２】
請求項４の発明によれば、起床式のベッド装置の床板に形成された凹部に支持手段を突没自在に設け、マットレス装置の上記凹部に対応する部分には圧縮変形可能な補助弾性部材を設けたから、介護者は補助弾性部材を圧縮変形させながら上記支持手段を没入方向へ弾性的に押し込むことで、身体を利用者に近づけることができ、しかも通常は上記補助弾性部材が上記支持手段によって保持されているから、この補助弾性部材によって利用者の支持状態が損なわれることがない。
【００５３】
さらに、マットレス装置のクッション体の上下面に幅方向に沿う溝部を長手方向に所定間隔で設けるようにした。そのため、クッション体は溝部によって屈曲変形し易くなっているから、溝部が形成マットレス装置を床板の起上に応じて容易に、しかも床板から浮き上がるようことなく確実に湾曲させることができる。
【図面の簡単な説明】
【図１】この発明の第１の実施の形態のマットレス装置を示す斜視図。
【図２】同じくベッド装置の側面図。
【図３】同じくベッド装置の平面図。
【図４】（ａ）〜（ｃ）はクッション体の製造手順を順次示した斜視図。
【図５】同じくクッション体の側面図。
【図６】この発明の第２の実施の形態を示すクッション体の斜視図。
【図７】この発明の第３の実施の形態を示すクッション体の斜視図。
【符号の説明】
５…ベッドフレーム
２１…床板
２４…凹部
５１…マットレス装置
５２…クッション体
５０…外装体
５３…本体部
５２ａ…溝部
５５…補助弾性部材
５５ａ…溝部
６１…支持体（支持手段）
【図１】
0003566552.tif 000002
【図２】
0003566552.tif 000003
【図３】
0003566552.tif 000004
【図４】
0003566552.tif 000005
【図５】
0003566552.tif 000006
【図６】
0003566552.tif 000007
【図７】
0003566552.tif 000008